(57)【要約】【課題】  相手に必要以上の個人情報を伝える必要のない、特定多数の間で一時的に開設されるトークルームを提供可能な情報処理システム、情報処理方法およびコンピュータプログラムを提供する。【解決手段】  本発明の情報処理システムは、情報処理端末と、特定のＵＲＬ情報および設置位置情報が記憶されたＮＦＣタグと、情報処理端末がインターネットを介して接続可能なサーバ装置とを備える情報処理システムであって、特定のトークルームの利用が許可された情報処理端末を使用する１以上の他のユーザと、ユーザとを、設定された有効期限の間だけ対応付けて管理する。【選択図】    図４
2020201535.tif 000002
【特許請求の範囲】
【請求項１】
情報処理端末と、特定のＵＲＬ情報および設置位置情報が記憶されたＮＦＣタグと、前記情報処理端末がインターネットを介して接続可能なサーバ装置とを備える情報処理システムであって、
前記情報処理端末は、
前記ＮＦＣタグを読み取ることにより、前記特定のＵＲＬ情報および前記設置位置情報を取得し、
前記特定のＵＲＬ情報に基づいて接続された前記サーバ装置に、端末位置情報および前記設置位置情報を送信し、
前記サーバ装置は、
前記端末位置情報と前記設置位置情報に基づいて、前記ＮＦＣタグの設置位置と前記情報処理端末とが所定の距離内にあるか否かを判定し、
前記判定の結果、前記ＮＦＣタグの設置位置と前記情報処理端末とが所定の距離内にある場合に、当該情報処理端末を使用するユーザに対して特定のトークルームの利用を許可し、
前記ＮＦＣタグと同一のＮＦＣタグ、または、前記ＮＦＣタグの設置位置と所定関係を有する別の設置位置が記憶された別のＮＦＣタグを読み取ることにより、当該特定のトークルームの利用が許可された他の情報処理端末を使用する１以上の他のユーザと、前記ユーザとを、設定された有効期限の間だけ対応付けて管理する情報処理システム。
【請求項２】
前記サーバ装置は、前記特定のトークルームの利用を許可する際、既に他のユーザが前記特定のトークルームの利用を開始している場合には、当該他のユーザに対して、前記ユーザが前記特定のトークルームを利用することの承認を要求することを特徴とする請求項１に記載の情報処理システム。
【請求項３】
前記サーバ装置は、前記特定のトークルームの利用を許可する際、既に他のユーザが前記特定のトークルームの利用を開始している場合には、当該他のユーザに関する情報を前記ユーザに送信し、当該ユーザの操作に応じて、前記他のユーザに対して、前記ユーザが前記特定のトークルームを利用することの承認を要求することを特徴とする請求項１または２に記載の情報処理システム。
【請求項４】
前記サーバ装置は、前記ユーザに対して前記特定のトークルームの利用を許可する際、他のユーザが前記特定のトークルームの利用を未だ開始していない場合には、当該他のユーザに関する情報を前記ユーザに送信し、当該ユーザの操作に応じて、前記他のユーザに対する前記特定のトークルームの利用を求める招待を送信することを特徴とする請求項１から３のいずれか一項に記載の情報処理システム。
【請求項５】
前記特定のトークルームにおいて、前記ユーザおよび前記他のユーザが互いに一方的に確認可能なユーザ情報は、アイコン画像に限られることを特徴とする請求項１から４のいずれか一項に記載の情報処理システム。
【請求項６】
前記ＮＦＣタグは対象物に貼付可能なシート状物に包含され、
前記シート状物の表面には、当該ＮＦＣタグに記憶された特定のＵＲＬ情報および設置位置情報を含む二次元バーコードが表示されることを特徴とする請求項１から５のいずれか一項に記載の情報処理システム。
【請求項７】
前記ＮＦＣタグは、所定の催事の会場においてユーザに対応付けられた設置物に設置されるものであり、
前記有効期限は、前記所定の催事の開催時間に基づいて自動的に設定されることを特徴とする請求項１から６のいずれか一項に記載の情報処理システム。
【請求項８】
前記サーバ装置は、前記特定のトークルームに表示可能なトークを、テキストおよび静止画に制限することを特徴とする請求項７に記載の情報処理システム。
【請求項９】
前記ＮＦＣタグは、所定の飲食店においてユーザに対応付けられた設置物に設置されるものであり、
前記有効期限は、前記サーバ装置が前記特定のトークルームの利用を許可した最初の時刻に基づいて自動的に設定されることを特徴とする請求項１から６のいずれか一項に記載の情報処理システム。
【請求項１０】
前記サーバ装置は、
前記特定のトークルームを利用しているユーザの情報に基づいて、当該特定のトークルームに表示する広告を決定することを特徴とする請求項９に記載の情報処理システム。
【請求項１１】
情報処理端末と、特定のＵＲＬ情報および設置位置情報が記憶されたＮＦＣタグと、前記情報処理端末がインターネットを介して接続可能なサーバ装置とを備える情報処理システムにおける情報処理方法であって、
一又は複数のコンピュータプロセッサに、
前記ＮＦＣタグを読み取ることにより得られた前記特定のＵＲＬ情報および前記設置位置情報を取得するステップと、
前記端末位置情報と前記設置位置情報に基づいて、前記ＮＦＣタグの設置位置と前記情報処理端末とが所定の距離内にあるか否かを判定するステップと、
前記判定の結果、前記ＮＦＣタグの設置位置と前記情報処理端末とが所定の距離内にある場合に、当該情報処理端末を使用するユーザに対して特定のトークルームの利用を許可するステップと、
前記ＮＦＣタグと同一のＮＦＣタグ、または、前記ＮＦＣタグの設置位置と所定関係を有する別の設置位置が記憶された別のＮＦＣタグを読み取ることにより、当該特定のトークルームの利用が許可された他の情報処理端末を使用する１以上の他のユーザと、前記ユーザとを、設定された有効期限の間だけ対応付けて管理するステップと
を実行させる情報処理方法。
【請求項１２】
情報処理端末と、特定のＵＲＬ情報および設置位置情報が記憶されたＮＦＣタグと、前記情報処理端末がインターネットを介して接続可能なサーバ装置とを備える情報処理システムを実現するためのコンピュータプログラムであって、
一又は複数のコンピュータプロセッサに、
前記ＮＦＣタグを読み取ることにより得られた前記特定のＵＲＬ情報および前記設置位置情報を取得する機能と、
前記端末位置情報と前記設置位置情報に基づいて、前記ＮＦＣタグの設置位置と前記情報処理端末とが所定の距離内にあるか否かを判定する機能と、
前記判定の結果、前記ＮＦＣタグの設置位置と前記情報処理端末とが所定の距離内にある場合に、当該情報処理端末を使用するユーザに対して特定のトークルームの利用を許可する機能と、
前記ＮＦＣタグと同一のＮＦＣタグ、または、前記ＮＦＣタグの設置位置と所定関係を有する別の設置位置が記憶された別のＮＦＣタグを読み取ることにより、当該特定のトークルームの利用が許可された他の情報処理端末を使用する１以上の他のユーザと、前記ユーザとを、設定された有効期限の間だけ対応付けて管理する機能と
を実現させるコンピュータプログラム。
【発明の詳細な説明】
【技術分野】
【０００１】
本発明は、情報処理システム、情報処理方法およびコンピュータプログラムに関する。
【背景技術】
【０００２】
近年、メッセージアプリやＳＮＳが普及している現代において、複数人で写真やメッセージを交換する場合にはこれらサービスを利用するのが一般的である（特許文献１等）。
【０００３】
しかしながら、メッセージアプリやＳＮＳのＩＤは重要な個人情報であり、一時的な写真やメッセージを交換するためだけに、相手に教えることを躊躇う人も多い。
【先行技術文献】
【特許文献】
【０００４】
【特許文献１】特開２０１４−１３５７５号公報
【発明の概要】
【発明が解決しようとする課題】
【０００５】
本発明の目的は、上述した従来技術の問題の少なくとも一部を解決又は緩和する技術的な改善を提供することにある。具体的には、相手に必要以上の個人情報を伝える必要のない、特定多数の間で一時的に情報の交換が可能な場を提供可能な情報処理システム、情報処理方法およびコンピュータプログラムを提供することにある。
【課題を解決するための手段】
【０００６】
本発明の情報処理システムは、情報処理端末と、特定のＵＲＬ情報および設置位置情報が記憶されたＮＦＣタグと、情報処理端末がインターネットを介して接続可能なサーバ装置とを備える情報処理システムであって、情報処理端末は、ＮＦＣタグを読み取ることにより、特定のＵＲＬ情報および設置位置情報を取得し、特定のＵＲＬ情報に基づいて接続されたサーバ装置に、端末位置情報および設置位置情報を送信し、サーバ装置は、端末位置情報と設置位置情報に基づいて、ＮＦＣタグの設置位置と情報処理端末とが所定の距離内にあるか否かを判定し、判定の結果、ＮＦＣタグの設置位置と情報処理端末とが所定の距離内にある場合に、当該情報処理端末を使用するユーザに対して特定のトークルームの利用を許可し、ＮＦＣタグと同一のＮＦＣタグ、または、ＮＦＣタグの設置位置と所定関係を有する別の設置位置が記憶された別のＮＦＣタグを読み取ることにより、当該特定のトークルームの利用が許可された他の情報処理端末を使用する１以上の他のユーザと、ユーザとを、設定された有効期限の間だけ対応付けて管理することを特徴とする。
【０００７】
サーバ装置は、特定のトークルームの利用を許可する際、既に他のユーザが特定のトークルームの利用を開始している場合には、他のユーザに対して、ユーザが特定のトークルームを利用することの承認を要求することができる。
【０００８】
サーバ装置は、特定のトークルームの利用を許可する際、既に他のユーザが特定のトークルームの利用を開始している場合には、他のユーザに関する情報をユーザに送信し、当該ユーザの操作に応じて、他のユーザに対して、ユーザが特定のトークルームを利用することの承認を要求することができる。
【０００９】
サーバ装置は、ユーザに対して特定のトークルームの利用を許可する際、他のユーザが特定のトークルームの利用を未だ開始していない場合には、他のユーザに関する情報をユーザに送信し、当該ユーザの操作に応じて、他のユーザに対する特定のトークルームの利用を求める招待を送信することができる。
【００１０】
特定のトークルームにおいて、ユーザおよび他のユーザが互いに一方的に確認可能なユーザ情報は、アイコン画像に限られることができる。
【００１１】
ＮＦＣタグは対象物に貼付可能なシート状物に包含され、シート状物の表面には、当該ＮＦＣタグに記憶された特定のＵＲＬ情報および設置位置情報を含む二次元バーコードが表示されることができる。
【００１２】
ＮＦＣタグは、所定の催事の会場においてユーザに対応付けられた設置物に設置されるものであり、有効期限は、所定の催事の開催時間に基づいて自動的に設定されることができる。
【００１３】
サーバ装置は、特定のトークルームに表示可能なトークを、テキストおよび静止画に制限することができる。
【００１４】
ＮＦＣタグは、所定の飲食店においてユーザに対応付けられた設置物に設置されるものであり、有効期限は、サーバ装置が特定のトークルームの利用を許可した最初の時刻に基づいて自動的に設定されることができる。
【００１５】
サーバ装置は、特定のトークルームを利用しているユーザの情報に基づいて、当該特定のトークルームに表示する広告を決定することができる。
【００１６】
本発明の情報処理方法は、情報処理端末と、特定のＵＲＬ情報および設置位置情報が記憶されたＮＦＣタグと、情報処理端末がインターネットを介して接続可能なサーバ装置とを備える情報処理システムにおける情報処理方法であって、一又は複数のコンピュータプロセッサに、ＮＦＣタグを読み取ることにより、特定のＵＲＬ情報および設置位置情報を取得するステップと、端末位置情報と設置位置情報に基づいて、ＮＦＣタグの設置位置と情報処理端末とが所定の距離内にあるか否かを判定するステップと、判定の結果、ＮＦＣタグの設置位置と情報処理端末とが所定の距離内にある場合に、当該情報処理端末を使用するユーザに対して特定のトークルームの利用を許可するステップと、ＮＦＣタグと同一のＮＦＣタグ、または、ＮＦＣタグの設置位置と所定関係を有する別の設置位置が記憶された別のＮＦＣタグを読み取ることにより、当該特定のトークルームの利用が許可された他の情報処理端末を使用する１以上の他のユーザと、ユーザとを、設定された有効期限の間だけ対応付けて管理するステップとを実行させることを特徴とする。
【００１７】
本発明のコンピュータプログラムは、情報処理端末と、特定のＵＲＬ情報および設置位置情報が記憶されたＮＦＣタグと、情報処理端末がインターネットを介して接続可能なサーバ装置とを備える情報処理システムを実現するためのコンピュータプログラムであって、一又は複数のコンピュータプロセッサに、ＮＦＣタグを読み取ることにより、特定のＵＲＬ情報および設置位置情報を取得する機能と、端末位置情報と設置位置情報に基づいて、ＮＦＣタグの設置位置と情報処理端末とが所定の距離内にあるか否かを判定する機能と、判定の結果、ＮＦＣタグの設置位置と情報処理端末とが所定の距離内にある場合に、当該情報処理端末を使用するユーザに対して特定のトークルームの利用を許可する機能と、ＮＦＣタグと同一のＮＦＣタグ、または、ＮＦＣタグの設置位置と所定関係を有する別の設置位置が記憶された別のＮＦＣタグを読み取ることにより、当該特定のトークルームの利用が許可された他の情報処理端末を使用する１以上の他のユーザと、ユーザとを、設定された有効期限の間だけ対応付けて管理する機能とを実現させることを特徴とする。
【発明の効果】
【００１８】
本発明によれば、上述した従来技術の問題の少なくとも一部を解決又は緩和する技術的な改善を提供することができる。具体的には、相手方に必要以上の個人情報を伝える必要のない、特定多数の間で一時的に情報の交換が可能な場を提供可能な情報処理システム、情報処理方法およびコンピュータプログラムを提供することが可能となる。
【図面の簡単な説明】
【００１９】
【図１】本発明の実施形態に係る情報処理システムの構成の一例を示すシステム構成図である。
【図２】本発明の実施形態に係るＮＦＣタグの表面の一例を示すイメージ図である。
【図３】本発明の実施形態に係るＮＦＣタグの設置例を示すイメージ図である。
【図４】本発明の実施形態に係る特定のトークルームを表示する画面の一例を示すイメージ図である。
【図５】本発明の実施形態に係る特定のトークルームへのログインを行うためのログイン画面の一例を示すイメージ図である。
【図６】本発明の実施形態に係る特定のトークルームへの参加要求を承認するための画面の一例を示すイメージ図である。
【図７】本発明の実施形態に係る特定のトークルームへの招待を承認するための画面の一例を示すイメージ図である。
【図８】本発明の実施形態に係る特定のトークルームへの参加を要求するための画面の一例を示すイメージ図である。
【図９】本発明の実施形態に係る特定のトークルームへの参加を招待するための画面の一例を示すイメージ図である。
【図１０】本発明の実施形態に係る情報処理端末の構成の一例を示す構成図である。
【図１１】本発明の実施形態に係る情報処理方法のフローの一例を示すフロー図である。
【発明を実施するための形態】
【００２０】
本発明の情報処理システムの実施形態について、図面を参照しながら説明する。
【００２１】
図１は、本発明の実施形態に係る情報処理システムの一例を示したものである。
【００２２】
図１に示すように、本発明の情報処理システム１００は、情報処理端末２００Ａと、ＮＦＣタグ３００Ａと、情報処理端末２００Ａがインターネットを介して接続可能なサーバ装置４００とを備える。
【００２３】
サーバ装置４００には、複数の情報処理端末が接続されることができる。一例として、図１には、情報処理端末２００Ａおよび情報処理端末２００Ｂの２つが接続される例が示されているが、この数に限られるものではない。なお、以下では一の情報処理端末を特定する必要がある場合を除いて「情報処理端末２００」として説明する場合がある。
【００２４】
また、本発明の情報処理システム１００は、複数のＮＦＣタグを備えるものとしてもよい。図１には、ＮＦＣタグ３００Ａ、ＮＦＣタグ３００Ｂの２つがが示されているが、この数に限られるものではない。なお、以下では一のＮＦＣタグを特定する必要がある場合を除いて「ＮＦＣタグ３００」として説明する場合がある。
【００２５】
情報処理端末２００は、以下に記載される機能や方法を実現できる情報処理端末であればどのようなものでもよい。情報処理端末２００は、例えば、スマートフォン、携帯電話（フィーチャーフォン）、ハンドヘルドコンピュータデバイス（例えば、ＰＤＡ（Personal Digital Assistant）等）、ウェアラブル端末（例えば、メガネ型デバイス、時計型デバイス等）を含んでよいが、ユーザが携帯可能であるものとする。
【００２６】
また、情報処理端末２００には、種々のサービスを提供するためのアプリケーションプログラムがインストールされ、ユーザの指示に応じたアプリケーションを実行させることができる。
【００２７】
ＮＦＣタグ３００は、特定のＵＲＬ情報および設置位置情報が記憶されたものとする。ＮＦＣリーダ機能搭載の情報処理端末は、当該ＮＦＣタグ３００に近づける（かざす）／タッチすることで、ＮＦＣタグ３００に記憶された情報を取得することができる。なお、ＮＦＣ（Near Field Communication）は近距離無線通信を意味する。
【００２８】
ＮＦＣタグ３００は、対象物に貼付可能なシート状物に包含されるものとすることができる。具体的には、ＮＦＣタグ３００は、貼付面である裏面と、非貼付面である表面とを有するＮＦＣタグシールとして作成されることができる。
【００２９】
そして、対象物は、飲食店のテーブルまたはチェアや、セミナー、スポーツまたはコンサートなどの催事会場の座席などとすることができる。
【００３０】
図２は、飲食店のテーブルに貼付されるＮＦＣタグ３００の表面３１０を示したものである。表面３１０には、一例として、ＮＦＣタグ３００に情報処理端末２００をかざす／タッチすることで提供されるサービスの説明が表示（印字）されることができる。
【００３１】
一例として、図２に示す表面３１０には、本発明の情報処理システム１００を提供する運営会社の社名やロゴ３１１、本発明の情報処理システム１００により実現されるサービスに当該飲食店をお気に入り登録することができる旨の説明およびアイコン３１２、当該飲食店が提供するメニューを確認することができる旨の説明およびアイコン３１３が表示されることができる。
【００３２】
図３は、飲食店のテーブルに貼付されるＮＦＣタグの配置例を示したものである。図３（ａ）は、６人掛けテーブルＴ６の各席に対応するテーブルの位置に６つのＮＦＣタグ３００Ａ〜３００Ｆが貼付されている例を示したものであり、図３（ｂ）は、２人掛けテーブルＴ２の中央位置に一つのＮＦＣタグ３００Ａが貼付されている例を示したものである。
【００３３】
サーバ装置４００は、以下に記載される機能や方法を実現できるサーバ装置であればどのようなものでもよい。
【００３４】
そして、情報処理端末２００は、ＮＦＣタグ３００を読み取ることにより、特定のＵＲＬ情報および設置位置情報を取得する。
【００３５】
図３（ａ）に示す例では、ユーザＡ〜Ｆは、テーブルＴ６の、自分が座った席の前に貼付されたそれぞれのＮＦＣタグＡ〜Ｆに、自分の使用する情報処理端末２００Ａ〜２００Ｆをかざす。同様に、図３（ｂ）に示す例では、ユーザＣおよびユーザＥは、テーブルＴ２の、自分が座った席の前方に貼付されたＮＦＣタグＡに、自分の使用する情報処理端末２００Ｃおよび２００Ｅをかざす。
【００３６】
特定のＵＲＬ情報とは、サーバ装置４００に接続するために用いられる情報である。このＵＲＬ情報は、ＮＦＣタグ３００Ａ〜３００Ｆ毎に異なるものとしてもよいし、同一グループとして管理されるＮＦＣタグ３００Ａ〜３００Ｆで共通のものとしてもよい。
【００３７】
設置位置情報とは、ＮＦＣタグ３００が設置された位置を示す情報である。この設置位置情報は、一例として店内の位置を示す情報とすることができる。この場合、サーバ装置４００は、設置場所のマップ（店内の座席表）を示すデータを記憶するものとする。
【００３８】
なお、この設置位置情報は、ＮＦＣタグ３００Ａ〜３００Ｆ毎に異なるものとしてもよいし、同一グループとして管理されるＮＦＣタグＮＦＣタグ３００Ａ〜３００Ｆで共通のものとしてもよい。例えば、図３（ａ）に示した例では、ＮＦＣタグ３００Ａ〜３００Ｆが共通の設置位置情報を記憶するものとしてもよいし、ＮＦＣタグ３００Ａ〜３００Ｆが別々の設置位置情報を記憶するものとしてもよい。後者の場合、これら別々の設置位置情報は、一つのテーブルに関連付けられる同一グループとして管理される。
【００３９】
情報処理端末２００による上記情報の取得は、情報処理端末２００が備えるＮＦＣリーダ機能によって、当該情報処理端末２００をＮＦＣタグ３００にかざす、または、タッチすることにより行われる。ＮＦＣリーダ機能によりＮＦＣタグの情報を取得する手法については既知の技術を用いることができる。
【００４０】
そして、情報処理端末２００は、特定のＵＲＬ情報に基づいて接続されたサーバ装置４００に、端末位置情報および設置位置情報を送信する。
【００４１】
サーバ装置４００は、端末位置情報と設置位置情報に基づいて、ＮＦＣタグの設置位置３００と情報処理端末２００とが所定の距離内にあるか否かを判定する。
【００４２】
すなわち、ＮＦＣタグ３００の設置位置に情報処理端末２００があるか否か（ユーザがいるかどうか）を判定する。この場合、所定の距離については、情報処理端末２００側の位置情報の精度や、ＮＦＣタグ３００の設置場所を考慮して適切に設定されるのが好ましい。
【００４３】
例えば、設置場所として、広いテーブルが空間を開けて配置される広いレストランと、観客席が密集するスポーツ会場とでは、後者の方が所定の距離は短く設定されるのが好ましい。
【００４４】
そして、サーバ装置４００は、判定の結果、ＮＦＣタグ３００の設置位置と情報処理端末２００とが所定の距離内にある場合に、情報処理端末２００を使用するユーザに対して特定のトークルームの利用を許可する。
【００４５】
特定のトークルームとは、サーバ装置４００がインターネットを介して提供する、複数ユーザで構成されるグループの間でメッセージのやりとりを行うことができるサービスをいうものとする。
【００４６】
そして、サーバ装置４００は、ＮＦＣタグ３００Ａの設置位置と所定関係を有する別の設置位置が記憶された別のＮＦＣタグ３００Ｂ〜３００Ｆを読み取ることにより当該特定のトークルームの利用が許可された他の情報処理端末２００Ｂ〜２００Ｆを使用する１以上の他のユーザＢ〜Ｆと、ユーザＡとを、対応付けて管理する（図３（ａ））。
【００４７】
あるいは、サーバ装置４００は、ＮＦＣタグ３００Ａと同一のＮＦＣタグ３００Ａを読み取ることにより当該特定のトークルームの利用が許可された情報処理端末２００Ｃを使用する他のユーザＣと、情報処理端末Ｅを使用する他のユーザＥとを、対応付けて管理する（図３（ｂ））。
【００４８】
図４は、情報処理端末２００Ａの表示画面に表示される特定のトークルームの画面２１０の一例を示した図である。図４に示すように、情報処理端末２００Ａ〜２００Ｄに対応付けられるユーザＡ〜Ｄは、インターネット上の特定のトークルームにおいて写真やコメントを送受信することができる。
【００４９】
なお、図４において、ユーザＡ〜Ｄは、顔写真などを用いたアイコン画像２１１〜２１４で識別可能に表示される。また、図４に示す画面２１０には、参加ユーザ一覧２１５、テキスト入力欄２１６、写真貼付ボタン２１７、他のユーザのコメントに対して良い評価を伝えるためのイイネボタン２１８、ユーザがいる場所を上述したお気に入り保存するためのお気に入りボタン２１９などが表示されているが、これらに限らず種々のオブジェクトを配置することができる。
【００５０】
ここで、図４に示される画面２１０には、「残り時間」を示す情報２２０が表示される。すなわち、本発明の情報処理システム１００は、他のユーザとユーザとの対応付けを、設定された有効期限の間に限ることを特徴とする。
【００５１】
この有効期限は、例えば、最先のユーザがトークルームの利用が許可された時刻から所定時間（一例として２４時間等）などとすることができる。この有効期限のカウント開始タイミングについてはこの例に限られるものではなく、トークルーム内のユーザの人数が所定人数に達したタイミング、実際の時刻が所定時刻になったタイミングなどに基づいて定められてもよい。
【００５２】
以上の構成によれば、上述した従来技術の問題の少なくとも一部を解決又は緩和する技術的な改善を提供することができる。具体的には、相手に必要以上の個人情報を伝える必要のない、特定多数の間で一時的に開設されるトークルームを提供することができる。
【００５３】
これにより、重要な個人情報であるメッセージアプリやＳＮＳのＩＤを、相手に教える必要なく、一時的に開設されるトークルームの中で情報を共有することができるようになる。
【００５４】
また、サーバ装置４００により特定のトークルームの利用を許可された情報処理端末２００Ａを使用するユーザＡには、トークルームへの入室の前に、本発明の情報処理システム１００により実現されるトークルームを含むサービスへのログイン処理を行わせることができる。
【００５５】
図５は、サーバ装置４００により特定のトークルームの利用を許可された情報処理端末２００Ａの表示画面に表示される画面の遷移を示したものである。図５（ａ）に示される最初の画面２３０には、トークルームの利用開始ボタン２３１等が表示されるものとするが、これに限られるものではなく、広告表示欄２９０などを表示してもよい。広告表示欄２９０を設けることにより、アクセス数に応じた広告料を飲食店および／または運営会社に分配することができるようになる。
【００５６】
そして、利用開始ボタン２３１がユーザＡにより選択されると、図５（ｂ）に示されるように、表示画面はログイン画面２４０へと遷移する。ログイン画面２４０には、ＩＤ入力欄２４１、パスワード入力欄２４２、および、ログインボタン２４３、あるいは、ＳＮＳログインボタン２４４が表示されることができる。ログイン処理は、当該サービスの専用のＩＤとパスワードを用いて行うこともできるし、連携する外部のＳＮＳのＩＤとパスワードを用いて行うこともできる。なお、ＩＤは登録されたメールアドレスとしてもよい。
【００５７】
以上の構成により、トークルームを利用するユーザが本サービスにユーザ登録されたユーザに限られることになるため、トークルーム利用の安全性が向上する。
【００５８】
サーバ装置４００は、特定のトークルームの利用を許可する際、既に他のユーザが特定のトークルームの利用を開始している場合には、他のユーザに対して、ユーザが特定のトークルームを利用することの承認を要求することができる。
【００５９】
図６は、他のユーザが既に参加済のトークグループに、ユーザから参加をリクエストされた場合の、他のユーザの情報処理端末の表示画面に表示される承認画面２５０の一例である。図６に示されるように、他のユーザは、表示された承認ボタン２５１を選択することにより、ユーザのトークグループへの参加を承認することができる。同様に、他のユーザは、表示された非承認ボタン２５２を選択することにより、ユーザのトークグループへの参加を拒否することができる。
【００６０】
図７は、ユーザが、他のユーザが既に参加済みのトークグループから、トークグループへの参加を招待された場合の、ユーザの情報処理端末の表示画面に表示される承認画面２６０の一例である。図７に示されるように、ユーザは、表示された承認ボタン２６１を選択することにより、他のユーザによるトークグループへの招待を承認することができる。同様に、ユーザは、表示された非承認ボタン２６２を選択することにより、他のユーザによるトークグループへの招待を拒否することができる。
【００６１】
以上の構成によれば、トークグループへの参加／招待に互いの承認が必要となるため、トークグループ利用の安全性が向上する。
【００６２】
サーバ装置４００は、特定のトークルームの利用を許可する際、既に他のユーザが特定のトークルームの利用を開始している場合には、他のユーザに関する情報をユーザに送信し、当該ユーザの操作に応じて、他のユーザに対して、ユーザが特定のトークルームを利用することの承認を要求することができる。
【００６３】
すなわち、他のユーザに対して承認を要求する前に、他のユーザに関する情報を確認することができる。
【００６４】
図８は、他のユーザが既に参加済のトークグループに、ユーザから参加をリクエストする場合の、ユーザの情報処理端末の表示画面に表示されるリクエスト画面２７０の一例である。図８に示されるように、ユーザは、表示されたグループ２７１を確認し、トークに参加したいグループを選択し、トークリクエストボタン２７２を選択することで、当該グループ２７１に既に参加済みの他のユーザに対して、ユーザが当該トークルームを利用することの承認を要求することができる。
【００６５】
なお、図８に示すリクエスト画面２７０では、グループが一つのみ表示されているが、このトークルームの有効期限が切れる前に他のグループが共通のＮＦＣタグを用いて別のトークルームを利用している場合には、複数のグループが表示される。
【００６６】
以上の構成によれば、表示されたグループに参加する他のユーザに関する情報を確認してから承認を要求することができるため、ユーザの意図と異なるトークルームへの参加をリクエストしてしまうという間違いを防ぐことができる。
【００６７】
図９は、他のユーザが未だ参加していないトークルームを、ユーザが作成する場合の、ユーザの情報処理端末の表示画面に表示されるリクエスト画面２８０の一例である。図９に示されるように、ユーザは、表示された他のユーザ２８１を確認し、トークに参加させたい一または複数の他のユーザを選択し、トークリクエストボタン２８２を選択することで、選択された他のユーザに対して、当該トークルームへの招待を送信することができる。
【００６８】
以上の構成によれば、ユーザの意図と異なる他のユーザがトークルームを利用することを防ぐことができる。
【００６９】
また、図４、図８および図９に示したように、特定のトークルームにおいて、ユーザＡおよび他のユーザＡ〜Ｄが互いに一方的に確認可能なユーザ情報は、アイコン画像２１１〜２１４に限られるものとする。
【００７０】
図５に示したように、ログイン画面２４０においてＳＮＳログインボタン２４４を選択した場合には、ＳＮＳで利用しているアイコン画像がトークルームでも表示される。なお、ログインボタン２４３を選択した場合には、予め登録されたアイコン画像がトークルームにおいて表示される。なお、このアイコン画像はログイン後に変更できるものとしてもよい。
【００７１】
以上の構成によれば、ユーザおよび他のユーザは、本トークルームの有効期限が過ぎた後に、互いの個人情報を用いた検索などにより別のサービスからコンタクトを取られることを防止することができる。
【００７２】
上述したとおり、ＮＦＣタグ３００は対象物に貼付可能なシート状物に包含されるものとすることができる。このシート状物は、ＮＦＣタグシールとして既知のものを用いてもよい。
【００７３】
また、シート状物の表面には、当該ＮＦＣタグ３００に記憶された特定のＵＲＬ情報および設置位置情報を含む二次元バーコードが表示されることができる。二次元バーコードは、一例としてＱＲコード（登録商標）を用いることができる。
【００７４】
以上の構成によれば、ＮＦＣリーダ機能を有さない情報処理端末を使用するユーザも本サービスを利用することができるようになる。
【００７５】
ＮＦＣタグ３００は、所定の催事の会場においてユーザに対応付けられた設置物に設置されるものとすることができる。
【００７６】
所定の催事とは、例えば、セミナー、スポーツ、コンサート、会議、イベントなどの催事とすることができる。このときのユーザおよび他のユーザは、催事の会場に実際にいる者となる。そして、設置物とは、一例として催事がスポーツである場合には座席や旗、催事がセミナーである場合にはテーブル、コンサートである場合には床などとすることができる。
【００７７】
このときの有効期限は、所定の催事の開催時間に基づいて自動的に設定されることができる。
【００７８】
具体的には、有効期限は、主催者が提供する催事の開催時間情報を入力することにより自動的に同じ時間として定められてもよいし、開催時間の終了時刻が予定を超えた場合であっても、自動的に延長される構成とするのが好ましい。
【００７９】
以上の構成によれば、催事の開催時間に合わせてトークルームの開設することができる。
【００８０】
サーバ装置４００は、特定のトークルームに表示可能なトークを、テキストおよび静止画に制限するのが好ましい。
【００８１】
これは、動画の放映権が絡むスポーツの催事において有益な制限である。かかる制限により、ユーザにより撮影された動画をトークルームに投稿できないようにすることができる。あるいは、既知の画像解析技術を用いて、催事に関する動画のみを投稿できないようにしてもよい。
【００８２】
ＮＦＣタグは、所定の飲食店においてユーザに対応付けられた設置物に設置されるものとすることができる。
【００８３】
所定の飲食店とは、例えば、レストラン、居酒屋、屋台等とすることができる。このときのユーザおよび他のユーザは、飲食店にいる者となる。そして、設置物とは、飲食店に設置されたテーブルまたはチェアとすることができる。
【００８４】
このとき、有効期限は、サーバ装置が特定のトークルームの利用を許可した最初の時刻に基づいて自動的に設定されることができる。
【００８５】
また、図５、図８および図９において示したように、表示画面には、広告表示欄２９０を設けるのが好ましい。そして、サーバ装置４００は、特定のトークルームを利用しているユーザの情報に基づいて、当該特定のトークルーム内の広告欄に表示する広告を決定することができる。
【００８６】
ユーザの情報とは、国籍、性別、年齢、居住地などの情報とすることができる。ユーザの情報は、さらに、宗教情報やアレルギー情報を含んでもよい。これらの情報を考慮することにより、ユーザに対して表示すべき適切な広告を決定することができる。
【００８７】
また、特定のトークルームに対する絵文字を含むテキストコメントの投稿や画像の投稿には、不適切なワードや画像が含まれていないかを事前に解析し、投稿できないようにするのが好ましい。かかる解析は、予めＮＧワードデータベースを準備しておいたり、既知の画像解析技術を用いたりすることにより、リアルタイムで行うことが可能となる。
【００８８】
ここで、図１０を用いて、情報処理端末２００のハードウェア構成について説明する。情報処理端末２００は、プロセッサ２０１と、メモリ２０２と、ストレージ２０３と、入出力インタフェース（入出力Ｉ／Ｆ）２０４と、通信インタフェース（通信Ｉ／Ｆ）２０５とを含む。各構成要素は、バスＢを介して相互に接続される。
【００８９】
情報処理端末２００は、プロセッサ２０１と、メモリ２０２と、ストレージ２０３と、入出力Ｉ／Ｆ２０４と、通信Ｉ／Ｆ２０５との協働により、本実施形態に記載される機能、方法を実現する。
【００９０】
プロセッサ２０１は、ストレージ２０３に記憶されるプログラムに含まれるコード又は命令によって実現する機能、及び／又は、方法を実行する。プロセッサ２０１は、例えば、中央処理装置（ＣＰＵ）、ＭＰＵ（Micro Processing Unit）、ＧＰＵ（Graphics Processing Unit）、マイクロプロセッサ（microprocessor）、プロセッサコア（processor core）、マルチプロセッサ（multiprocessor）、ＡＳＩＣ（Application-Specific Integrated Circuit）、ＦＰＧＡ（Field Programmable Gate Array）等を含み、集積回路（ＩＣ（Integrated Circuit）チップ、ＬＳＩ（Large Scale Integration））等に形成された論理回路（ハードウェア）や専用回路によって各実施形態に開示される各処理を実現してもよい。また、これらの回路は、１又は複数の集積回路により実現されてよく、各実施形態に示す複数の処理を１つの集積回路により実現されることとしてもよい。また、ＬＳＩは、集積度の違いにより、ＶＬＳＩ、スーパーＬＳＩ、ウルトラＬＳＩ等と呼称されることもある。
【００９１】
メモリ２０２は、ストレージ２０３からロードしたプログラムを一時的に記憶し、プロセッサ２０１に対して作業領域を提供する。メモリ２０２には、プロセッサ２０１がプログラムを実行している間に生成される各種データも一時的に格納される。メモリ２０２は、例えば、ＲＡＭ（Random Access Memory）、ＲＯＭ（Read Only Memory）等を含む。
【００９２】
ストレージ２０３は、プログラムを記憶する。ストレージ２０３は、例えば、ＨＤＤ（Hard Disk Drive）、ＳＳＤ（Solid State Drive）、フラッシュメモリ等を含む。
【００９３】
通信Ｉ／Ｆ２０５は、ネットワークアダプタ等のハードウェアや通信用ソフトウェア、及びこれらの組み合わせとして実装され、ネットワークを介して各種データの送受信を行う。当該通信は、有線、無線のいずれで実行されてもよく、互いの通信が実行できるのであれば、どのような通信プロトコルを用いてもよい。通信Ｉ／Ｆ２０５は、ネットワークを介して、他の情報処理装置との通信を実行する。通信Ｉ／Ｆ２０５は、各種データをプロセッサ２０１からの指示に従って、他の情報処理装置に送信する。また、通信Ｉ／Ｆ２０５は、他の情報処理装置から送信された各種データを受信し、プロセッサ２０１に伝達する。
【００９４】
入出力Ｉ／Ｆ２０４は、情報処理端末２００に対する各種操作を入力する入力装置、及び、情報処理端末２００で処理された処理結果を出力する出力装置を含む。入出力Ｉ／Ｆ２０４は、入力装置と出力装置が一体化していてもよいし、入力装置と出力装置とに分離していてもよい。
【００９５】
入力装置は、ユーザからの入力を受け付けて、当該入力に係る情報をプロセッサ２０１に伝達できる全ての種類の装置のいずれか、又は、その組み合わせにより実現される。入力装置は、例えば、タッチパネル、タッチディスプレイ、キーボード等のハードウェアキーや、マウス等のポインティングデバイス等を含む。
【００９６】
出力装置は、プロセッサ２０１で処理された処理結果を出力する。出力装置は、例えば、タッチパネル、スピーカ等を含む。なお、サーバ装置４００についても同様に図９のハードウェア構成で構成されることができる。
【００９７】
続いて、本発明の情報処理方法について図面を参照しながら説明する。
【００９８】
図１１は、本発明の実施形態に係る情報処理方法の処理フローの一例を示したものである。
【００９９】
本発明の情報処理方法は、情報処理端末と、特定のＵＲＬ情報および設置位置情報が記憶されたＮＦＣタグと、情報処理端末がインターネットを介して接続可能なサーバ装置とを備える情報処理システムにおける情報処理方法であって、一又は複数のコンピュータプロセッサに、以下のステップＳ１１０〜Ｓ１４０を実行させる。
【０１００】
ステップＳ１１０では、ＮＦＣタグを読み取ることにより、特定のＵＲＬ情報および設置位置情報を取得する。
【０１０１】
ステップＳ１２０では、端末位置情報と設置位置情報に基づいて、ＮＦＣタグの設置位置と情報処理端末とが所定の距離内にあるか否かを判定する。
【０１０２】
ステップＳ１３０では、判定の結果、ＮＦＣタグの設置位置と情報処理端末とが所定の距離内にある場合に、当該情報処理端末を使用するユーザに対して特定のトークルームの利用を許可する。
【０１０３】
ステップＳ１４０は、ＮＦＣタグと同一のＮＦＣタグ、または、ＮＦＣタグの設置位置と所定関係を有する別の設置位置が記憶された別のＮＦＣタグを読み取ることにより当該特定のトークルームの利用が許可された他の情報処理端末を使用する１以上の他のユーザと、ユーザとを、設定された有効期限の間だけ対応付けて管理する。
【０１０４】
以上の構成によれば、上述した従来技術の問題の少なくとも一部を解決又は緩和する技術的な改善を提供することができる。具体的には、相手に必要以上の個人情報を伝える必要のない、特定多数の間で一時的に開設されるトークルームを提供することが可能となる。
【０１０５】
最後に、本発明の実施形態に係るコンピュータプログラムの実施形態について説明する。
【０１０６】
本発明のコンピュータプログラムは、情報処理端末と、特定のＵＲＬ情報および設置位置情報が記憶されたＮＦＣタグと、情報処理端末がインターネットを介して接続可能なサーバ装置とを備える情報処理システムを実現するためのコンピュータプログラムであって、一又は複数のコンピュータプロセッサに、以下の機能５１０〜５４０を実現させることを特徴とする。
【０１０７】
機能５１０は、ＮＦＣタグを読み取ることにより、特定のＵＲＬ情報および設置位置情報を取得する。
【０１０８】
機能５２０は、端末位置情報と設置位置情報に基づいて、ＮＦＣタグの設置位置と情報処理端末とが所定の距離内にあるか否かを判定する。
【０１０９】
機能５３０は、判定の結果、ＮＦＣタグの設置位置と情報処理端末とが所定の距離内にある場合に、当該情報処理端末を使用するユーザに対して特定のトークルームの利用を許可する。
【０１１０】
機能５４０は、ＮＦＣタグと同一のＮＦＣタグ、または、ＮＦＣタグの設置位置と所定関係を有する別の設置位置が記憶された別のＮＦＣタグを読み取ることにより、当該特定のトークルームの利用が許可された他の情報処理端末を使用する１以上の他のユーザと、ユーザとを、設定された有効期限の間だけ対応付けて管理する。
【０１１１】
以上の構成によれば、上述した従来技術の問題の少なくとも一部を解決又は緩和する技術的な改善を提供することができる。具体的には、相手に必要以上の個人情報を伝える必要のない、特定多数の間で一時的に開設されるトークルームを提供することが可能となる。
【０１１２】
また、上述した実施形態に係るサーバ装置又は端末装置として機能させるために、コンピュータ又は携帯電話などの情報処理装置を好適に用いることができる。このような情報処理装置は、実施形態に係るサーバ装置又は端末装置の各機能を実現する処理内容を記述したプログラムを、情報処理装置の記憶部に格納し、情報処理装置のＣＰＵによって当該プログラムを読み出して実行させることによって実現可能である。 
【０１１３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１１４】
また、実施形態に記載した手法は、計算機（コンピュータ）に実行させることができるプログラムとして、例えば磁気ディスク（フロッピー（登録商標）ディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウェア手段（実行プログラムのみならずテーブルやデータ構造も含む）を計算機内に構成させる設定プログラムをも含む。本装置を実現する計算機は、記録媒体に記録されたプログラムを読み込み、また場合により設定プログラムによりソフトウェア手段を構築し、このソフトウェア手段によって動作が制御されることにより上述した処理を実行する。なお、本明細書でいう記録媒体は、頒布用に限らず、計算機内部あるいはネットワークを介して接続される機器に設けられた磁気ディスクや半導体メモリ等の記憶媒体を含むものである。記憶部は、例えば主記憶装置、補助記憶装置、又はキャッシュメモリとして機能してもよい。
【符号の説明】
【０１１５】
１００    情報処理システム
２００Ａ    情報処理端末
２００Ｂ    情報処理端末
３００Ａ    ＮＦＣタグ
３００Ｂ    ＮＦＣタグ
４００    サーバ装置
【図１】
2020201535.tif 000003
【図２】
2020201535.tif 000004
【図３】
2020201535.tif 000005
【図４】
2020201535.tif 000006
【図５】
2020201535.tif 000007
【図６】
2020201535.tif 000008
【図７】
2020201535.tif 000009
【図８】
2020201535.tif 000010
【図９】
2020201535.tif 000011
【図１０】
2020201535.tif 000012
【図１１】
2020201535.tif 000013
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
情報処理端末と、特定のＵＲＬ情報および設置位置情報が記憶されたＮＦＣタグと、前記情報処理端末がインターネットを介して接続可能なサーバ装置とを備える情報処理システムであって、
前記情報処理端末は、
前記ＮＦＣタグを読み取ることにより、前記特定のＵＲＬ情報および前記設置位置情報を取得し、
前記特定のＵＲＬ情報に基づいて接続された前記サーバ装置に、端末位置情報および前記設置位置情報を送信し、
前記サーバ装置は、
前記端末位置情報と前記設置位置情報に基づいて、前記ＮＦＣタグの設置位置と前記情報処理端末とが所定の距離内にあるか否かを判定し、
前記判定の結果、前記ＮＦＣタグの設置位置と前記情報処理端末とが所定の距離内にある場合に、当該情報処理端末を使用するユーザに対して特定のトークルームの利用を許可し、
前記ＮＦＣタグと同一のＮＦＣタグ、または、前記ＮＦＣタグの設置位置と所定関係を有する別の設置位置が記憶された別のＮＦＣタグを読み取ることにより、当該特定のトークルームの利用が許可された他の情報処理端末を使用する１以上の他のユーザと、前記ユーザとを対応付けて管理する情報処理システム。
【請求項２】
前記サーバ装置は、前記特定のトークルームの利用を許可する際、既に他のユーザが前記特定のトークルームの利用を開始している場合には、当該他のユーザに対して、前記ユーザが前記特定のトークルームを利用することの承認を要求することを特徴とする請求項１に記載の情報処理システム。
【請求項３】
前記サーバ装置は、前記特定のトークルームの利用を許可する際、既に他のユーザが前記特定のトークルームの利用を開始している場合には、当該他のユーザに関する情報を前記ユーザに送信し、当該ユーザの操作に応じて、前記他のユーザに対して、前記ユーザが前記特定のトークルームを利用することの承認を要求することを特徴とする請求項１または２に記載の情報処理システム。
【請求項４】
前記サーバ装置は、前記ユーザに対して前記特定のトークルームの利用を許可する際、他のユーザが前記特定のトークルームの利用を未だ開始していない場合には、当該他のユーザに関する情報を前記ユーザに送信し、当該ユーザの操作に応じて、前記他のユーザに対する前記特定のトークルームの利用を求める招待を送信することを特徴とする請求項１から３のいずれか一項に記載の情報処理システム。
【請求項５】
前記特定のトークルームにおいて、前記ユーザおよび前記他のユーザが互いに一方的に確認可能なユーザ情報は、アイコン画像に限られることを特徴とする請求項１から４のいずれか一項に記載の情報処理システム。
【請求項６】
前記ＮＦＣタグは対象物に貼付可能なシート状物に包含され、
前記シート状物の表面には、当該ＮＦＣタグに記憶された特定のＵＲＬ情報および設置位置情報を含む二次元バーコードが表示されることを特徴とする請求項１から５のいずれか一項に記載の情報処理システム。
【請求項７】
前記情報処理システムは、前記他のユーザと、前記ユーザとを、前記特定のトークルームが開設している間、または、設定された有効期限の間だけ対応付けて管理する請求項１から６のいずれか一項に記載の情報処理システム。
【請求項８】
前記ＮＦＣタグは、所定の催事の会場においてユーザに対応付けられた設置物に設置されるものであり、
前記有効期限は、前記所定の催事の開催時間に基づいて自動的に設定されることを特徴とする請求項７に記載の情報処理システム。
【請求項９】
前記サーバ装置は、前記特定のトークルームに表示可能なトークを、テキストおよび静止画に制限することを特徴とする請求項８に記載の情報処理システム。
【請求項１０】
前記ＮＦＣタグは、所定の飲食店においてユーザに対応付けられた設置物に設置されるものであり、
前記有効期限は、前記サーバ装置が前記特定のトークルームの利用を許可した最初の時刻に基づいて自動的に設定されることを特徴とする請求項７に記載の情報処理システム。
【請求項１１】
前記サーバ装置は、
前記特定のトークルームを利用しているユーザの情報に基づいて、当該特定のトークルームに表示する広告を決定することを特徴とする請求項１０に記載の情報処理システム。
【請求項１２】
情報処理端末と、特定のＵＲＬ情報および設置位置情報が記憶されたＮＦＣタグと、前記情報処理端末がインターネットを介して接続可能なサーバ装置とを備える情報処理システムにおける情報処理方法であって、
一又は複数のコンピュータプロセッサに、
前記ＮＦＣタグを読み取ることにより得られた前記特定のＵＲＬ情報および前記設置位置情報を取得するステップと、
端末位置情報と前記設置位置情報に基づいて、前記ＮＦＣタグの設置位置と前記情報処理端末とが所定の距離内にあるか否かを判定するステップと、
前記判定の結果、前記ＮＦＣタグの設置位置と前記情報処理端末とが所定の距離内にある場合に、当該情報処理端末を使用するユーザに対して特定のトークルームの利用を許可するステップと、
前記ＮＦＣタグと同一のＮＦＣタグ、または、前記ＮＦＣタグの設置位置と所定関係を有する別の設置位置が記憶された別のＮＦＣタグを読み取ることにより、当該特定のトークルームの利用が許可された他の情報処理端末を使用する１以上の他のユーザと、前記ユーザとを対応付けて管理するステップと
を実行させる情報処理方法。
【請求項１３】
情報処理端末と、特定のＵＲＬ情報および設置位置情報が記憶されたＮＦＣタグと、前記情報処理端末がインターネットを介して接続可能なサーバ装置とを備える情報処理システムを実現するためのコンピュータプログラムであって、
一又は複数のコンピュータプロセッサに、
前記ＮＦＣタグを読み取ることにより得られた前記特定のＵＲＬ情報および前記設置位置情報を取得する機能と、
端末位置情報と前記設置位置情報に基づいて、前記ＮＦＣタグの設置位置と前記情報処理端末とが所定の距離内にあるか否かを判定する機能と、
前記判定の結果、前記ＮＦＣタグの設置位置と前記情報処理端末とが所定の距離内にある場合に、当該情報処理端末を使用するユーザに対して特定のトークルームの利用を許可する機能と、
前記ＮＦＣタグと同一のＮＦＣタグ、または、前記ＮＦＣタグの設置位置と所定関係を有する別の設置位置が記憶された別のＮＦＣタグを読み取ることにより、当該特定のトークルームの利用が許可された他の情報処理端末を使用する１以上の他のユーザと、前記ユーザとを対応付けて管理する機能と
を実現させるコンピュータプログラム。
【手続補正書】
【提出日】令和2年1月12日(2020.1.12)
【手続補正１】
【補正対象書類名】特許請求の範囲
【補正対象項目名】全文
【補正方法】変更
【補正の内容】
【特許請求の範囲】
【請求項１】
情報処理端末と、特定のＵＲＬ情報および設置位置情報が記憶されたＮＦＣタグおよび／または二次元バーコードと、前記情報処理端末がインターネットを介して接続可能なサーバ装置とを備える情報処理システムであって、
前記情報処理端末は、
前記ＮＦＣタグおよび／または二次元バーコードを読み取ることにより、前記特定のＵＲＬ情報および前記設置位置情報を取得し、
前記特定のＵＲＬ情報に基づいて接続された前記サーバ装置に、端末位置情報および前記設置位置情報を送信し、
前記サーバ装置は、
前記端末位置情報と前記設置位置情報に基づいて、前記ＮＦＣタグおよび／または二次元バーコードの設置位置と前記情報処理端末とが所定の距離内にあるか否かを判定し、
前記判定の結果、前記ＮＦＣタグおよび／または二次元バーコードの設置位置と前記情報処理端末とが所定の距離内にある場合に、当該情報処理端末を使用するユーザに対して特定のトークルームの利用を許可し、
前記ＮＦＣタグおよび／または二次元バーコードと同一のＮＦＣタグおよび／または二次元バーコード、または、前記ＮＦＣタグおよび／または二次元バーコードの設置位置と所定関係を有する別の設置位置が記憶された別のＮＦＣタグおよび／または二次元バーコードを読み取ることにより、当該特定のトークルームの利用が許可された他の情報処理端末を使用する１以上の他のユーザと、前記ユーザとを対応付けて管理する情報処理システム。
【請求項２】
前記サーバ装置は、前記特定のトークルームの利用を許可する際、既に他のユーザが前記特定のトークルームの利用を開始している場合には、当該他のユーザに対して、前記ユーザが前記特定のトークルームを利用することの承認を要求することを特徴とする請求項１に記載の情報処理システム。
【請求項３】
前記サーバ装置は、前記特定のトークルームの利用を許可する際、既に他のユーザが前記特定のトークルームの利用を開始している場合には、当該他のユーザに関する情報を前記ユーザに送信し、当該ユーザの操作に応じて、前記他のユーザに対して、前記ユーザが前記特定のトークルームを利用することの承認を要求することを特徴とする請求項１または２に記載の情報処理システム。
【請求項４】
前記サーバ装置は、前記ユーザに対して前記特定のトークルームの利用を許可する際、他のユーザが前記特定のトークルームの利用を未だ開始していない場合には、当該他のユーザに関する情報を前記ユーザに送信し、当該ユーザの操作に応じて、前記他のユーザに対する前記特定のトークルームの利用を求める招待を送信することを特徴とする請求項１から３のいずれか一項に記載の情報処理システム。
【請求項５】
前記特定のトークルームにおいて、前記ユーザおよび前記他のユーザが互いに一方的に確認可能なユーザ情報は、アイコン画像に限られることを特徴とする請求項１から４のいずれか一項に記載の情報処理システム。
【請求項６】
前記ＮＦＣタグは対象物に貼付可能なシート状物に包含され、
前記シート状物の表面には、当該ＮＦＣタグに記憶された特定のＵＲＬ情報および設置位置情報を含む前記二次元バーコードが表示されることを特徴とする請求項１から５のいずれか一項に記載の情報処理システム。
【請求項７】
前記情報処理システムは、前記他のユーザと、前記ユーザとを、前記特定のトークルームが開設している間、または、設定された有効期限の間だけ対応付けて管理する請求項１から６のいずれか一項に記載の情報処理システム。
【請求項８】
前記ＮＦＣタグおよび／または二次元バーコードは、所定の催事の会場においてユーザに対応付けられた設置物に設置されるものであり、
前記有効期限は、前記所定の催事の開催時間に基づいて自動的に設定されることを特徴とする請求項７に記載の情報処理システム。
【請求項９】
前記サーバ装置は、前記特定のトークルームに表示可能なトークを、テキストおよび静止画に制限することを特徴とする請求項８に記載の情報処理システム。
【請求項１０】
前記ＮＦＣタグおよび／または二次元バーコードは、所定の飲食店においてユーザに対応付けられた設置物に設置されるものであり、
前記有効期限は、前記サーバ装置が前記特定のトークルームの利用を許可した最初の時刻に基づいて自動的に設定されることを特徴とする請求項７に記載の情報処理システム。
【請求項１１】
前記サーバ装置は、
前記特定のトークルームを利用しているユーザの情報に基づいて、当該特定のトークルームに表示する広告を決定することを特徴とする請求項１０に記載の情報処理システム。
【請求項１２】
情報処理端末と、特定のＵＲＬ情報および設置位置情報が記憶されたＮＦＣタグおよび／または二次元バーコードと、前記情報処理端末がインターネットを介して接続可能なサーバ装置とを備える情報処理システムにおける情報処理方法であって、
一又は複数のコンピュータプロセッサに、
前記ＮＦＣタグおよび／または二次元バーコードを読み取ることにより得られた前記特定のＵＲＬ情報および前記設置位置情報を取得するステップと、
端末位置情報と前記設置位置情報に基づいて、前記ＮＦＣタグおよび／または二次元バーコードの設置位置と前記情報処理端末とが所定の距離内にあるか否かを判定するステップと、
前記判定の結果、前記ＮＦＣタグおよび／または二次元バーコードの設置位置と前記情報処理端末とが所定の距離内にある場合に、当該情報処理端末を使用するユーザに対して特定のトークルームの利用を許可するステップと、
前記ＮＦＣタグおよび／または二次元バーコードと同一のＮＦＣタグおよび／または二次元バーコード、または、前記ＮＦＣタグおよび／または二次元バーコードの設置位置と所定関係を有する別の設置位置が記憶された別のＮＦＣタグおよび／または二次元バーコードを読み取ることにより、当該特定のトークルームの利用が許可された他の情報処理端末を使用する１以上の他のユーザと、前記ユーザとを対応付けて管理するステップと
を実行させる情報処理方法。
【請求項１３】
情報処理端末と、特定のＵＲＬ情報および設置位置情報が記憶されたＮＦＣタグおよび／または二次元バーコードと、前記情報処理端末がインターネットを介して接続可能なサーバ装置とを備える情報処理システムを実現するためのコンピュータプログラムであって、
一又は複数のコンピュータプロセッサに、
前記ＮＦＣタグおよび／または二次元バーコードを読み取ることにより得られた前記特定のＵＲＬ情報および前記設置位置情報を取得する機能と、
端末位置情報と前記設置位置情報に基づいて、前記ＮＦＣタグおよび／または二次元バーコードの設置位置と前記情報処理端末とが所定の距離内にあるか否かを判定する機能と、
前記判定の結果、前記ＮＦＣタグおよび／または二次元バーコードの設置位置と前記情報処理端末とが所定の距離内にある場合に、当該情報処理端末を使用するユーザに対して特定のトークルームの利用を許可する機能と、
前記ＮＦＣタグおよび／または二次元バーコードと同一のＮＦＣタグおよび／または二次元バーコード、または、前記ＮＦＣタグおよび／または二次元バーコードの設置位置と所定関係を有する別の設置位置が記憶された別のＮＦＣタグおよび／または二次元バーコードを読み取ることにより、当該特定のトークルームの利用が許可された他の情報処理端末を使用する１以上の他のユーザと、前記ユーザとを対応付けて管理する機能と
を実現させるコンピュータプログラム。
【手続補正２】
【補正対象書類名】明細書
【補正対象項目名】００４１
【補正方法】変更
【補正の内容】
【００４１】
サーバ装置４００は、端末位置情報と設置位置情報に基づいて、ＮＦＣタグ３００の設置位置と情報処理端末２００とが所定の距離内にあるか否かを判定する。
【手続補正３】
【補正対象書類名】明細書
【補正対象項目名】００４７
【補正方法】変更
【補正の内容】
【００４７】
あるいは、サーバ装置４００は、ＮＦＣタグ３００Ａと同一のＮＦＣタグ３００Ａを読み取ることにより当該特定のトークルームの利用が許可された情報処理端末２００Ｃを使用する他のユーザＣと、情報処理端末２００Ｅを使用する他のユーザＥとを、対応付けて管理する（図３（ｂ））。
【手続補正４】
【補正対象書類名】明細書
【補正対象項目名】００６９
【補正方法】変更
【補正の内容】
【００６９】
また、図４、図８および図９に示したように、特定のトークルームにおいて、ユーザＡおよび他のユーザＢ〜Ｄが互いに一方的に確認可能なユーザ情報は、アイコン画像２１１〜２１４に限られるものとする。
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
情報処理端末と、特定のＵＲＬ情報および設置位置情報が記憶されたＮＦＣタグおよび／または二次元バーコードと、前記情報処理端末がインターネットを介して接続可能なサーバ装置とを備える情報処理システムであって、
前記情報処理端末は、
前記ＮＦＣタグおよび／または二次元バーコードを読み取ることにより、前記特定のＵＲＬ情報および前記設置位置情報を取得し、
前記特定のＵＲＬ情報に基づいて接続された前記サーバ装置に、端末位置情報および前記設置位置情報を送信し、
前記サーバ装置は、
前記端末位置情報と前記設置位置情報に基づいて、前記ＮＦＣタグおよび／または二次元バーコードの設置位置と前記情報処理端末とが所定の距離内にあるか否かを判定し、
前記判定の結果、前記ＮＦＣタグおよび／または二次元バーコードの設置位置と前記情報処理端末とが所定の距離内にある場合に、当該情報処理端末を使用するユーザに対して特定のトークルームの利用を許可し、
前記ＮＦＣタグおよび／または二次元バーコードと同一のＮＦＣタグおよび／または二次元バーコード、または、前記ＮＦＣタグおよび／または二次元バーコードの設置位置と所定関係を有する別の設置位置が記憶された別のＮＦＣタグおよび／または二次元バーコードを読み取ることにより、当該特定のトークルームの利用が許可された他の情報処理端末と、前記ユーザの情報処理端末とを対応付けて記憶装置に記憶させ、同一の前記特定のトークルームを利用可能なグループとしてグルーピングする情報処理システム。
【請求項２】
前記サーバ装置は、前記特定のトークルームの利用を許可する際、既に他のユーザが前記特定のトークルームの利用を開始している場合には、当該他のユーザに対して、前記ユーザが前記特定のトークルームを利用することの承認を要求することを特徴とする請求項１に記載の情報処理システム。
【請求項３】
前記サーバ装置は、前記特定のトークルームの利用を許可する際、既に他のユーザが前記特定のトークルームの利用を開始している場合には、当該他のユーザに関する情報を前記ユーザに送信し、当該ユーザの操作に応じて、前記他のユーザに対して、前記ユーザが前記特定のトークルームを利用することの承認を要求することを特徴とする請求項１または２に記載の情報処理システム。
【請求項４】
前記サーバ装置は、前記ユーザに対して前記特定のトークルームの利用を許可する際、他のユーザが前記特定のトークルームの利用を未だ開始していない場合には、当該他のユーザに関する情報を前記ユーザに送信し、当該ユーザの操作に応じて、前記他のユーザに対する前記特定のトークルームの利用を求める招待を送信することを特徴とする請求項１から３のいずれか一項に記載の情報処理システム。
【請求項５】
前記特定のトークルームにおいて、前記ユーザおよび前記他のユーザが互いに一方的に確認可能なユーザ情報は、アイコン画像に限られることを特徴とする請求項１から４のいずれか一項に記載の情報処理システム。
【請求項６】
前記ＮＦＣタグは対象物に貼付可能なシート状物に包含され、
前記シート状物の表面には、当該ＮＦＣタグに記憶された特定のＵＲＬ情報および設置位置情報を含む前記二次元バーコードが表示されることを特徴とする請求項１から５のいずれか一項に記載の情報処理システム。
【請求項７】
前記情報処理システムは、前記他のユーザの情報処理端末と、前記ユーザの情報処理端末とを、前記特定のトークルームが開設している間、または、設定された有効期限の間だけ対応付けて記憶させる請求項１から６のいずれか一項に記載の情報処理システム。
【請求項８】
前記ＮＦＣタグおよび／または二次元バーコードは、所定の催事の会場においてユーザに対応付けられた設置物に設置されるものであり、
前記有効期限は、前記所定の催事の開催時間に基づいて自動的に設定されることを特徴とする請求項７に記載の情報処理システム。
【請求項９】
前記サーバ装置は、前記特定のトークルームに表示可能なトークを、テキストおよび静止画に制限することを特徴とする請求項８に記載の情報処理システム。
【請求項１０】
前記ＮＦＣタグおよび／または二次元バーコードは、所定の飲食店においてユーザに対応付けられた設置物に設置されるものであり、
前記有効期限は、前記サーバ装置が前記特定のトークルームの利用を許可した最初の時刻に基づいて自動的に設定されることを特徴とする請求項７に記載の情報処理システム。
【請求項１１】
前記サーバ装置は、
前記特定のトークルームを利用しているユーザの情報に基づいて、当該特定のトークルームに表示する広告を決定することを特徴とする請求項１０に記載の情報処理システム。
【請求項１２】
情報処理端末と、特定のＵＲＬ情報および設置位置情報が記憶されたＮＦＣタグおよび／または二次元バーコードと、前記情報処理端末がインターネットを介して接続可能なサーバ装置とを備える情報処理システムにおける情報処理方法であって、
一又は複数のコンピュータプロセッサに、
前記ＮＦＣタグおよび／または二次元バーコードを読み取ることにより得られた前記特定のＵＲＬ情報および前記設置位置情報を取得するステップと、
端末位置情報と前記設置位置情報に基づいて、前記ＮＦＣタグおよび／または二次元バーコードの設置位置と前記情報処理端末とが所定の距離内にあるか否かを判定するステップと、
前記判定の結果、前記ＮＦＣタグおよび／または二次元バーコードの設置位置と前記情報処理端末とが所定の距離内にある場合に、当該情報処理端末を使用するユーザに対して特定のトークルームの利用を許可するステップと、
前記ＮＦＣタグおよび／または二次元バーコードと同一のＮＦＣタグおよび／または二次元バーコード、または、前記ＮＦＣタグおよび／または二次元バーコードの設置位置と所定関係を有する別の設置位置が記憶された別のＮＦＣタグおよび／または二次元バーコードを読み取ることにより、当該特定のトークルームの利用が許可された他の情報処理端末と、前記ユーザの情報処理端末とを対応付けて記憶装置に記憶させ、同一の前記特定のトークルームを利用可能なユーザグループとしてグルーピングするステップと
を実行させる情報処理方法。
【請求項１３】
情報処理端末と、特定のＵＲＬ情報および設置位置情報が記憶されたＮＦＣタグおよび／または二次元バーコードと、前記情報処理端末がインターネットを介して接続可能なサーバ装置とを備える情報処理システムを実現するためのコンピュータプログラムであって、
一又は複数のコンピュータプロセッサに、
前記ＮＦＣタグおよび／または二次元バーコードを読み取ることにより得られた前記特定のＵＲＬ情報および前記設置位置情報を取得する機能と、
端末位置情報と前記設置位置情報に基づいて、前記ＮＦＣタグおよび／または二次元バーコードの設置位置と前記情報処理端末とが所定の距離内にあるか否かを判定する機能と、
前記判定の結果、前記ＮＦＣタグおよび／または二次元バーコードの設置位置と前記情報処理端末とが所定の距離内にある場合に、当該情報処理端末を使用するユーザに対して特定のトークルームの利用を許可する機能と、
前記ＮＦＣタグおよび／または二次元バーコードと同一のＮＦＣタグおよび／または二次元バーコード、または、前記ＮＦＣタグおよび／または二次元バーコードの設置位置と所定関係を有する別の設置位置が記憶された別のＮＦＣタグおよび／または二次元バーコードを読み取ることにより、当該特定のトークルームの利用が許可された他の情報処理端末と、前記ユーザの情報処理端末とを対応付けて記憶装置に記憶させ、同一の前記特定のトークルームを利用可能なユーザグループとしてグルーピングする機能と
を実現させるコンピュータプログラム。